(57)【要約】【課題】床面の過度な温度上昇を抑制しながら、かつ室内の温度ムラを解消して、使用者の足元から肩口までムラなく温める。【解決手段】温風暖房装置であって、器具本体と、器具本体内に設置された燃焼部と、温風を送り出す対流ファンと、温風を吹き出す温風吹き出し口と、動作を制御する制御部と、温風吹き出し口４に配設された可動ルーバー６と、可動ルーバー６を所定の揺動角度範囲で揺動させる揺動装置８と、を有し、可動ルーバー６は、第１の可動ルーバーと、第１の可動ルーバーの下方に配設された第２の可動ルーバーと、を有し、制御部は、揺動装置によって、第１の可動ルーバー６１を第１の揺動角度範囲で姿勢を調整し、第２の可動ルーバー６２を第１の揺動角度範囲とは異なる第２の揺動角度範囲で姿勢を調整する。【選択図】図５
2018200152.tif 000002
【特許請求の範囲】
【請求項１】
温風を吹き出して暖房する温風暖房装置であって、
器具本体と、
この器具本体内に設置された燃焼部と、
温風を送り出す対流ファンと、
温風を吹き出す温風吹き出し口と、
動作を制御する制御部と、
前記温風吹き出し口に配設された可動ルーバーと、
この可動ルーバーを所定の揺動角度範囲で揺動させる揺動装置と、を有し、
前記可動ルーバーは、第１の可動ルーバーと、この第１の可動ルーバーの下方に配設された第２の可動ルーバーと、を有し、
前記制御部は、前記揺動装置によって、前記第１の可動ルーバーを第１の揺動角度範囲で姿勢を調整し、前記第２の可動ルーバーを前記第１の揺動角度範囲とは異なる第２の揺動角度範囲で姿勢を調整すること、
を特徴とする温風暖房装置。
【請求項２】
前記可動ルーバーは、静止した姿勢で温風を送る所定の固定姿勢と、所定の揺動角度範囲で揺動させる可動姿勢と、を有し、
所定の揺動角度範囲で前記可動ルーバーを揺動させる指令を前記制御部に与えるルーバー作動スイッチを備えていること、
を特徴とする請求項１に記載の温風暖房装置。
【請求項３】
前記可動ルーバーが所定の基準姿勢に到達したことを検知する検知手段を備えたこと、
を特徴とする請求項２に記載の温風暖房装置。
【請求項４】
前記揺動角度範囲は、前記第１の可動ルーバーの方が前記第２の可動ルーバーよりも広い範囲であること、
を特徴とする請求項１から請求項３のいずれか１項に記載の温風暖房装置。
【請求項５】
前記可動ルーバーは、前記燃焼部の火力が強い場合の方が弱い場合よりも前記揺動角度範囲が狭いこと、
を特徴とする請求項１から請求項４のいずれか１項に記載の温風暖房装置。
【発明の詳細な説明】
【技術分野】
【０００１】
本発明は、温風暖房装置に関し、特に、可動ルーバーを備えた温風暖房装置に関する。
【背景技術】
【０００２】
従来、室温の温度ムラを小さくすることを目的として、可動ルーバーを備えた温風暖房装置が知られている（例えば、特許文献１参照）。特許文献１に記載された温風暖房装置は、設定温度に到達するまでは、可動ルーバーを設定された角度範囲でスイングさせ、設定温度に到達すると、燃焼レベルに応じて、温風が床面に送風されるように可動ルーバーの角度を変更して固定する。
【先行技術文献】
【特許文献】
【０００３】
【特許文献１】実開平５−６４６４８号公報（要約、図４と図５を参照）
【発明の概要】
【発明が解決しようとする課題】
【０００４】
しかしながら、特許文献１に記載の温風暖房装置は、可動ルーバーをスイングさせたり、角度を変更させたりして、温風を放出する方向を適切に設定することはできるが、放出された温風の流れの質や特性を変更することができないので、より好適に床面の過度な温度上昇を抑制しながら、かつ室内の温度ムラを解消して、使用者の足元から肩口までムラなく温めることがしにくいという問題があった。
【０００５】
本発明は、前記した事情に鑑みてなされたものであり、より好適に床面の過度な温度上昇を抑制しながら、かつ室内の温度ムラを解消して、使用者の足元から肩口までムラなく温めることができる温風暖房装置を提供することを課題とする。
【課題を解決するための手段】
【０００６】
本発明は、温風を吹き出して暖房する温風暖房装置であって、器具本体と、この器具本体内に設置された燃焼部と、温風を送り出す対流ファンと、温風を吹き出す温風吹き出し口と、動作を制御する制御部と、前記温風吹き出し口に配設された可動ルーバーと、この可動ルーバーを所定の揺動角度範囲で揺動させる揺動装置と、を有し、前記可動ルーバーは、第１の可動ルーバーと、この第１の可動ルーバーの下方に配設された第２の可動ルーバーと、を有し、前記制御部は、前記揺動装置によって、前記第１の可動ルーバーを第１の揺動角度範囲で姿勢を調整し、前記第２の可動ルーバーを前記第１の揺動角度範囲とは異なる第２の揺動角度範囲で姿勢を調整すること、を特徴とする。
【０００７】
かかる構成によれば、可動ルーバーを備えたことで、固定ルーバーよりも使用者の足元を迅速に温めることができる。第１の可動ルーバーおよび第２の可動ルーバーをそれぞれ異なる揺動角度範囲で姿勢を調整することで、目的や環境条件に合わせて柔軟に適合させることができる。これにより、本発明に係る温風暖房装置は、床面の過度な温度上昇を抑制しながら、かつ室内の温度ムラを解消して、使用者の足元から肩口までムラなく温めることができる。
【発明の効果】
【０００８】
本発明に係る温風暖房装置は、床面の過度な温度上昇を抑制しながら、かつ室内の温度ムラを解消して、使用者の足元から肩口までムラなく温めることができる。
【図面の簡単な説明】
【０００９】
【図１】本発明の実施形態に係る温風暖房装置の外観を示す斜視図である。
【図２】本発明の実施形態に係る温風暖房装置を示す側面視断面図である。
【図３】本発明の実施形態に係る可動ルーバーの揺動装置の動作を示す斜視図であり、可動ルーバーを閉じた状態である。
【図４】本発明の実施形態に係る可動ルーバーの揺動装置の動作を示す斜視図であり、可動ルーバーの固定姿勢である。
【図５】本発明の実施形態に係る温風暖房装置の動作を示す斜視図であり、第２の可動ルーバーを固定した状態で第１の可動ルーバーを揺動回転させる様子を示す。
【図６】本発明の実施形態に係る温風暖房装置の動作を示す斜視図であり、可動ルーバーの上限位置を示す。
【図７】本発明の実施形態に係る温風暖房装置の動作を示す斜視図であり、（ａ）は燃焼火力が強の場合における揺動動作、（ｂ）は燃焼火力が中から弱の場合における揺動動作を示す。
【発明を実施するための形態】
【００１０】
本発明の実施形態について、適宜図面を参照しながら詳細に説明する。本実施形態に係る温風暖房装置１は、図１と図２に示すように、温風を吹き出して室内の温度を上昇させる暖房装置である。
【００１１】
図２に示すように、温風暖房装置１は、器具本体１１と、燃油を燃焼させる燃焼部２と、温風を送り出す対流ファン３と、温風吹き出し口４と、温風吹き出し口枠５と、可動ルーバー６と、可動ルーバー６を所定の揺動角度範囲で揺動させる揺動装置８（図５参照）と、動作を制御する制御部９と、を備えている。
【００１２】
なお、温風暖房装置１において、説明の便宜上、使用者から見て、左右、前後、および上下方向という。
【００１３】
器具本体１１は、図１に示すように、前面パネル１１ａと、各種スイッチが配設された操作部１２と、操作内容等を表示する液晶パネル１３と、を備えている。操作部１２には、運転スイッチ１２ａ、ルーバー作動スイッチ１４、その他の各種スイッチが配設されている。
【００１４】
ルーバー作動スイッチ１４は、可動ルーバー６を所定の揺動角度範囲で揺動させる指令を制御部９に与えるスイッチである。
【００１５】
燃焼部２は、燃油を燃焼させる装置である。
燃焼部２は、燃油を気化する気化器２１と、燃油を加熱して気化させる気化ヒータ（不図示）と、スパーク放電して点火する点火器（不図示）と、気化した石油等の燃油を燃焼させるバーナ２２と、燃焼空間を形成する燃焼筒２３と、燃焼用空気をバーナ２２へ送風する燃焼ファン２４と、送風管２５と、を備えている。
【００１６】
対流ファン３は、背面の温風取り入れ口にファンガード３１を介して取り付けられている。対流ファン３から温風吹き出し口４までは送風ボックス３２が配設されている。送風ボックス３２は、対流ファン３によって送風された温風を温風吹き出し口４へ導風する。
【００１７】
温風吹き出し口４は、温風を室内へ向けて前方へ吹き出す開口部であり、前面パネル１１ａに設けられている。
温風吹き出し口枠５は、図４に示すように、温風吹き出し口４を囲むように配設されている。温風吹き出し口枠５は、一対の側面板５１、５２と、下面板５３と、上面板５４と、を備えている。
【００１８】
一対の側面板５１、５２は、温風吹き出し口４の左側に配設された左側面板５１と、右側に配設された右側面板５２と、を備えている。下面板５３は、温風吹き出し口４の下方を覆うように閉塞する。上面板５４は、温風吹き出し口４の上方を覆うように閉塞する。
【００１９】
可動ルーバー６は、温風吹き出し口４に配設されている。可動ルーバー６は、上段に配設された第１の可動ルーバー６１と、第１の可動ルーバー６１の下方に配設された第２の可動ルーバー６２と、を備えている。
【００２０】
なお、以下の説明において、可動ルーバー６（６１，６２）は、第１の可動ルーバー６１と第２の可動ルーバー６２とを区別する必要がない場合には、総称して可動ルーバー６と表記する。
【００２１】
可動ルーバー６は、図３に示す閉じた状態と、図４に示す所定の静止した姿勢で温風を送る固定姿勢と、図７に示す所定の揺動角度範囲で揺動させる可動姿勢と、を有する。
図３に示す閉じた状態は、運転を停止した状態である。図４に示す固定姿勢は、可動ルーバー６を所定の角度で固定して運転する状態である。可動姿勢は、揺動動作（スイング動作）を行う姿勢である。
【００２２】
固定姿勢における可動ルーバー６の角度は、例えば、図７（ａ）の左側に示すように、燃焼部２（図２参照）の燃焼火力が「強」の場合には、第１の可動ルーバー６１が７１度、第２の可動ルーバー６２が８３度である。図７（ｂ）の左側に示すように、燃焼部２（図２参照）の燃焼火力が「中〜弱」の場合においても、同じく第１の可動ルーバー６１が７１度、第２の可動ルーバー６２が８３度である。
【００２３】
なお、本実施形態においては、説明の便宜上、一例を示すために可動ルーバー６の上限位置、下限位置、および揺動角度範囲等を例示したが、温風暖房装置１の用途、使用される部屋の形状や大きさ、使用者の位置や姿勢等の使用条件に応じて適宜定めることができる。
【００２４】
図７は、温風暖房装置１の揺動動作における揺動角度範囲の一例を示す斜視図であり、図７（ａ）は燃焼火力が「強」の場合である。図７（ａ）に示すように、揺動角度範囲は、第１の可動ルーバー６１が８５〜６４度、第２の可動ルーバー６２が８３度である。なお、揺動角度は、鉛直下方向に対する可動ルーバー６の角度をいい、所定の揺動角度範囲には０度も含まれるものとする。図７（ｂ）は燃焼火力が「中から弱」の場合における揺動角度範囲である。図７（ｂ）に示すように、揺動角度範囲は、第１の可動ルーバー６１が８５〜５２度、第２の可動ルーバー６２が８３〜６９度である。
【００２５】
図６に示すように、揺動装置８は、第１の可動ルーバー６１を一対の側面板５１，５２に軸支する第１軸８１と、第２の可動ルーバー６２を一対の側面板５１，５２に軸支する第２軸８２と、可動ルーバー６（６１，６２）の揺動角度範囲を規制する揺動角度規制機構８３と、可動ルーバー６を揺動させる駆動部８４と、可動ルーバー６が所定の基準姿勢に到達したことを検知する検知手段であるフォトセンサ９０と、を備えている。
【００２６】
第１軸８１および第２軸８２は、それぞれ左右方向に沿って配設されている。これにより、第１の可動ルーバー６１は、左右方向に沿って配設された第１軸８１の周りに上下方向に揺動回転する。第２の可動ルーバー６２は、左右方向に沿って配設された第２軸８２の周りに上下方向に揺動回転する。
【００２７】
揺動角度規制機構８３は、下端部が駆動部８４に連結された連結リンク８５と、連結リンク８５と第１の可動ルーバー６１とを連結する第１三角アーム８６と、連結リンク８５と第２の可動ルーバー６２とを連結する第２三角アーム８７と、右側面板５２に形成された第１カム溝８８および第２カム溝８９と、第１カム溝８８に係合する第１カムフォロア８８ａと、第２カム溝８９に係合する第２カムフォロア８９ａと、を備えている。
【００２８】
連結リンク８５は、右側面板５２に沿って上下方向に延びて配設され、駆動部８４によって上下方向に移動する。連結リンク８５は、下端部に形成された駆動部連結用長穴８５ａと、中央部に形成された第２三角アーム係合用穴８５ｂと、フォトセンサ９０によって位置を検出するための被検出部８５ｃと、を備えている。
【００２９】
連結リンク８５は、駆動部連結用長穴８５ａを介して駆動部８４に連結され、第２三角アーム係合用穴８５ｂを介して第２三角アーム８７に係合されている。連結リンク８５の上端部は、第１三角アーム８６に連結されている。
【００３０】
第１三角アーム８６は、ルーバー支持部８６ａと、第１カムフォロア支持部８６ｂと、連結リンク支持部８６ｃと、を備えている。
ルーバー支持部８６ａは、第１軸８１によって第１の可動ルーバー６１および第１三角アーム８６を右側面板５２に対して回転自在に支持する部位である。第１カムフォロア支持部８６ｂは、第１カムフォロア８８ａを支持する部位であり、ルーバー支持部８６ａよりも後方に配設されている。連結リンク支持部８６ｃは、連結リンク８５に対して回転自在に軸支された部位であり、図４の揺動姿勢ではルーバー支持部８６ａよりも下方に位置する。
【００３１】
第１カム溝８８は、第１軸８１を中心として円弧形状をなした長穴であり、右側面板５２に形成されている。第２カム溝８９は、第１カム溝８８と同様の構成である。
【００３２】
第１カムフォロア８８ａは、軸部８８ａ１と、軸部８８ａ１に支持されたガイドローラ８８ａ２と、を備えている。軸部８８ａ１は、一端が第１の可動ルーバー６１に連結され、他端が第１三角アーム８６の第１カムフォロア支持部８６ｂに連結されている。これにより、第１の可動ルーバー６１が第１軸８１の周りに回転すると、第１カムフォロア８８ａは第１カム溝８８に沿って案内されながら円弧上を移動する。
【００３３】
かかる構成により、第１カムフォロア８８ａが第１カム溝８８に案内されながら円弧上を移動することで、第１の可動ルーバー６１を揺動回転させることができる。第２カムフォロア８９ａが第２カム溝８９に案内されながら円弧上を移動することで、第２の可動ルーバー６２を揺動回転させることができる。
【００３４】
また、第１カムフォロア８８ａが第１カム溝８８の上端部に当接することで、第１の可動ルーバー６１の全閉位置（図３参照）を規制することができる。第１カムフォロア８８ａが第１カム溝８８の下端部に当接することで第１の可動ルーバー６１の全開位置（図６参照）を規制することができる。
【００３５】
第２カムフォロア８９ａが第２カム溝８９の上端部に当接することで、第２の可動ルーバー６２の全閉位置（図３参照）を規制する。第２カムフォロア８９ａが第２カム溝８９の下端部に当接することで第２の可動ルーバー６２の全開位置（図６参照）を規制する。
【００３６】
第２三角アーム８７は、ルーバー支持部８７ａと、第２カムフォロア支持部８７ｂと、連結リンク支持部８７ｃと、を備えている。
ルーバー支持部８７ａは、第１三角アーム８６のルーバー支持部８６ａと同様である。第２カムフォロア支持部８７ｂは、第１三角アーム８６のルーバー支持部８７ｂと同様である。
【００３７】
連結リンク支持部８７ｃは、第２三角アーム８７に配設されたローラ８７ｃ１と、ローラ８７ｃ１を下方に付勢するばね部材８６ｂと、を備えている。
【００３８】
連結リンク支持部８７ｃは、第２三角アーム係合用穴８５ｂを介して連結リンク８５に係合されている。具体的には、ローラ８７ｃ１は、第２三角アーム係合用穴８５ｂの内周部に係合しながら移動するように、ばね部材８７ｃ２によって付勢されている。
【００３９】
かかる構成により、ローラ８７ｃ１の位置は、第２三角アーム係合用穴８５ｂの内周部の形状に沿って移動する。つまり、連結リンク８５の移動に伴って第２三角アーム係合用穴８５ｂが移動するとローラ８７ｃ１の位置が移動して、第２三角アーム８７がルーバー支持部８７ａを中心として回転する。これにより、第２の可動ルーバー６２を揺動回転させることができる。
【００４０】
駆動部８４は、駆動源となるステッピングモータ８４ａと、ステッピングモータ８４ａに連結された駆動レバー８４ｂと、駆動レバー８４ｂの先端部に配設された係合部８４ｃと、係合部８４ｃを上方へ付勢するばね部材８４ｅと、を備えている。駆動部８４は、ステッピングモータ８４ａによって、駆動レバー８４ｂを自在の角度で回転させる。係合部８４ｃは、駆動部連結用長穴８５ａに嵌合されている。ばね部材８４ｅは、係合部８４ｃを駆動部連結用長穴８５ａの上端部に付勢する。
【００４１】
かかる構成により、制御部９は、駆動部８４によってステッピングモータ８４ａを回転させることで、連結リンク８５を上下方向に移動させる。連結リンク８５を上下方向に移動させると、第１三角アーム８６は第１軸８１の周りに揺動回転し、第２三角アーム８７は第２軸の周りに揺動回転する。これにより、第１の可動ルーバー６１および第２の可動ルーバー６２を揺動回転させる。
【００４２】
連結リンク８５は、可動ルーバー６の上限位置では上下方向の下死点に位置する（図６参照）。連結リンク８５は、可動ルーバー６が上限位置から下方へ揺動回転すると、下限位置から上方へ移動する（図５参照）。
【００４３】
このとき、連結リンク８５は、前後方向では、下端部において駆動レバー８４ｂが下向きから水平方向へ移動するため、前から後へ移動する。また、上端部においても、連結リンク８５は、連結リンク支持部８６ｃが下向きから水平方向へ移動するため、前から後へ移動する。
【００４４】
ここで、連結リンク８５に形成された第２三角アーム係合用穴８５ｂと第２三角アーム８７に配設されたローラ８７ｃ１との関係について説明する。
つまり、連結リンク８５の移動に伴って第２三角アーム係合用穴８５ｂが移動する。これにより、第２三角アーム係合用穴８５ｂを介してローラ８７ｃ１の位置を移動させることができる。
【００４５】
温風暖房装置１は、第２三角アーム係合用穴８５ｂの形状や連結リンク８５の移動軌跡を適宜設定することで、第２三角アーム８７を回転させたり、静止させたりすることができる。これにより、第１の可動ルーバー６１を所定の揺動角度範囲で連続して揺動回転させながら、第２の可動ルーバー６２を異なる揺動角度範囲で揺動回転させたり（図７（ｂ）参照）、静止させたりすることができる（図５、図７（ａ）参照）。
【００４６】
フォトセンサ９０は、可動ルーバー６の基準姿勢である上限位置（図６参照）を確認する光センサである。上限位置は、揺動角度範囲の上死点の位置である。フォトセンサ９０は、図６に示すように、連結リンク８５に形成された被検出部８５ｃを検出することで、連結リンク８５の上限位置を検出する。これにより、制御部９は、フォトセンサ９０によって、可動ルーバー６の上限位置を判定することができる。
【００４７】
かかる構成により、制御部９は、揺動動作において、可動ルーバー６が上限位置に到達したことを判定することで、所定の揺動動作が１サイクルごとに適正に実行させていることを確認する。
【００４８】
以上のように構成された本発明の実施形態に係る温風暖房装置１の動作について、主として図７を参照しながら説明する。
制御部９は、使用者（不図示）によって運転スイッチ１２ａが操作されると暖房運転を開始する。このとき、使用者は、ルーバー作動スイッチ１４によって、図４に示す所定の固定姿勢と、図７に示す所定の揺動角度範囲で揺動させる可動姿勢である揺動動作（スイング動作）と、を選択することができる。
【００４９】
かかる構成により、温風暖房装置１の使用者の好みにより、可動ルーバー６の固定姿勢によって身体の胴体部を優先的に温めたり、揺動動作によって足元から肩口までムラなく温めたりすることができる。
【００５０】
使用者によって固定姿勢が選択されている場合には、制御部９は、可動ルーバー６を閉じた状態（図３）から所定の固定姿勢まで移動させる。具体的には、燃焼火力が「強」の場合における固定動作では、図７（ａ）の左欄に示す固定位置まで可動ルーバー６を移動させる。第１の可動ルーバー６１を７１度まで移動させ、第２の可動ルーバー６２を８３度まで移動させる。
【００５１】
使用者によって可動姿勢が選択されている場合には、制御部９は、可動ルーバー６の揺動動作を開始し、第１の可動ルーバー６１および第２の可動ルーバー６２をそれぞれ所定の揺動角度範囲で揺動させる。
【００５２】
揺動動作は、バーナ２２の燃焼火力が「強」の場合（図７（ａ）参照）、と燃焼火力が「中〜弱」の場合（図７（ｂ）参照）とで異なる。
【００５３】
図７（ａ）に示すように、燃焼火力が「強」の場合における揺動動作では、可動ルーバー６は、左欄に示す固定位置からスタートして、上方へ向かう中欄に示す上限位置を通り、上限位置で、フォトセンサ９０によって上限位置に到達したことを検知する（図４参照）。
その後、上限位置から下方へ向かう下限位置（右欄）まで揺動してから、スタートの固定位置（左欄）まで戻る１サイクルを繰り返すように揺動する。
【００５４】
可動ルーバー６の固定位置は、固定姿勢における位置（角度）と同じである。可動ルーバー６の上限位置は、第１の可動ルーバー６１が８５度、第２の可動ルーバー６２が８３度である。可動ルーバー６の下限位置は、第１の可動ルーバー６１が６４度、第２の可動ルーバー６２が８３度で固定である。つまり、第２の可動ルーバー６２を８３度で固定した状態で、第１の可動ルーバー６１を上限位置から下限位置まで揺動回転させる（図５参照）
【００５５】
図７（ｂ）に示すように、燃焼火力が「中〜弱」の場合における揺動動作では、第１の可動ルーバー６１が８５〜５２度、第２の可動ルーバー６２が８３〜６９度で揺動する。この場合には、上限位置から下限位置まで移動するときに、第１の可動ルーバー６１が８５〜６０度まで移動する間に、第２の可動ルーバー６２が８３〜６９度まで移動する。そして、第２の可動ルーバー６２が６９度まで移動すると静止して、第１の可動ルーバー６１が６０〜５２度まで移動する。
燃焼火力が「中〜弱」の場合においても、燃焼火力が「強」の場合（図７（ａ）参照）と同様であるから、重複する詳細な説明は省略する。
【００５６】
温風暖房装置１では、揺動角度範囲は、第１の可動ルーバー６１の方が前記第２の可動ルーバー６２よりも広い範囲に設定されている。
これにより、揺動角度範囲のうち上方範囲では、第１の可動ルーバー６１および第２の可動ルーバー６２を水平に近い状態として、より滑らかで遠くまで届く風を送る。
【００５７】
一方、揺動角度範囲のうち下向きに近い下方範囲では、第１の可動ルーバー６１の方を第２の可動ルーバー６２よりも下向きにして、撹拌された風を送ることができる。撹拌された風を送ることによって、使用者の足元には温度ムラの少ない風を送ることができる。
このようにして、温風暖房装置１は、床面の過度な温度上昇を抑制しながら、かつ室内の温度ムラを解消して、使用者の足元から肩口までムラなく温めることができる。
【００５８】
また、温風暖房装置１では、可動ルーバー６は、燃焼部２の火力が強い場合の方が弱い場合よりも揺動角度範囲が狭くなるように設定されている。
これにより、温風暖房装置１では、火力が強い場合には、揺動角度範囲のうち下向きの風を少なくすることができるので、床面の過度な温度上昇を効果的に抑制しながら、室内の温度ムラを解消して、迅速に使用者の足元から肩口までムラなく温めることができる。
【００５９】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００６０】
例えば、前記した実施形態では、制御を簡素化して安定した動作を確保するため、駆動源として１つのステッピングモータ８４ａによって、第１の可動ルーバー６１および第２の可動ルーバー６２を揺動回転させたが、これに限定されるものではなく、第１の可動ルーバー６１および第２の可動ルーバー６２をそれぞれ別個のステッピングモータで作動させるように制御してもよい。
【００６１】
可動ルーバー６は、第１の可動ルーバー６１と第２の可動ルーバー６２との２枚で構成したが、これに限定されるものではなく、さらに第３の可動ルーバー、または複数の可動ルーバーを追加してもよい。
【符号の説明】
【００６２】
１      温風暖房装置
２      燃焼部
３      対流ファン
４      吹き出し口
５      吹き出し口枠
６      可動ルーバー
８      揺動装置
９      制御部
１１    器具本体
１２    操作部
１２ａ  運転スイッチ
１３    液晶パネル
１４    ルーバー作動スイッチ
６１    第１の可動ルーバー
６２    第２の可動ルーバー
８１    第１軸
８２    第２軸
８３    揺動角度規制機構
８４    駆動部
８５    連結リンク
８６    第１三角アーム
８７    第２三角アーム
９０    フォトセンサ（検知手段）
【図１】
2018200152.tif 000003
【図２】
2018200152.tif 000004
【図３】
2018200152.tif 000005
【図４】
2018200152.tif 000006
【図５】
2018200152.tif 000007
【図６】
2018200152.tif 000008
【図７】
2018200152.tif 000009